(57)【要約】【課題】情報端末装置における操作性を向上させる。【解決手段】本発明に係るＰＤＡ１によれば、ＣＰＵ１１は、キー入力装置１４のusualキーが押下されると、usualモードに設定する。usualモードにおいてusualキーが押下されると、記憶装置１６の操作キーメモリに記憶されているキーデータに応じた処理をusualキーが操作される毎に１つずつ実行する。usualモードにおいてusualキー以外のキーが押下されると、usualモードを解除して、次の操作キーメモリ領域に操作されたキーのキーデータを記憶して、キーに応じた処理を実行する。usualモードに設定されていないときにusualキー１４以外のキーが押下されると、操作キーデータ領域Ｐ０から順に押下された操作キーのキーデータを記憶して、キーに応じた処理を実行する。【選択図】  図２
2004199461.tif 000002
【特許請求の範囲】
【請求項１】
ユーザが行った操作に基づいて、操作に応じた処理を実行する情報端末装置において、
ユーザが行った操作に関する情報を順次記憶する記憶手段と、
所定の指示キーと、
前記所定の指示キーが操作される毎に、前記記憶手段に記憶されている操作に関する情報を１ずつ読み出して、当該操作に応じた処理を実行する制御手段と、
を備えたことを特徴とする情報端末装置。
【請求項２】
前記記憶手段は、電源ＯＮ後に行われたユーザの操作に関する情報を記憶することを特徴とする請求項１に記載の情報端末装置。
【請求項３】
所定の操作に応じて、前記記憶手段がユーザの操作に関する情報を記憶することを禁止する記憶制御手段を備えたことを特徴とする請求項２に記載の情報端末装置。
【請求項４】
前記記憶手段に記憶されている操作に関する情報を１つずつ読み出して該キーを実行するか否かをユーザに確認させるための確認メッセージを出力する出力手段を備えたことを特徴とする請求項１〜３の何れか一項に記載の情報端末装置。
【発明の詳細な説明】
【０００１】
【発明の属する技術分野】
本発明は、ユーザによって行われた操作情報を記憶して、所定の指示キーが押下されることにより記憶された操作に応じた処理を実行することが可能な情報端末装置に関する。
【０００２】
【従来の技術】
従来、電子機器のある機能を実行しようとするときは、ユーザは決められた手順で操作する必要があった。例えば、ＰＤＡ（Personal Digital Assistance）で電子メールの送受信を行う場合、ユーザは次のような操作が必要であった（図８参照）。まず、ユーザが電源をＯＮにすると図８（ａ）に示すメニュー画面１２２が表示されるので、このメニュー画面１２２から「設定」の項目を選択操作する。すると、図８（ｂ）に示す設定画面（個人用）１２３が表示される。この設定画面１２３から「接続」のラベルを選択操作すると、図８（ｃ）に示す通信用設定画面１２４が表示される。そこでダイヤルアップ接続のための「接続」アイコンを操作すると、ダイヤルアップ接続がなされる。接続がなされると、「Menu」コマンドを操作して図８（ｄ）に示すメニュー画面１２２に戻し、ここから「電子メール」を選択操作して、電子メールアプリケーションを起動する。ユーザは電子メールを送受信する場合は、このような決まりきった煩雑な操作をその都度繰り返さなければならなかった。
【０００３】
このような繰り返して行われる操作手順を簡略化するために、オペレータの操作を記憶しておくことが考えられている。例えば、特許文献１には、パソコンと接続され、パソコンのマウス操作工程及びキー操作工程を記憶して再生し、自動的にパソコンを操作するパソコン操作再現装置が開示されている。このパソコン操作再現装置によれば、予めパソコンの操作を入力しておくことで、初心者にとって困難なインストールや環境設定等の複雑な操作を自動的に行うことができる。
【０００４】
【特許文献１】
特開平１１−１４９３３９号公報
【０００５】
【発明が解決しようとする課題】
しかし、上述した特許文献１の技術は、別体の装置からパソコンの操作を制御するものであるため、情報端末装置への適用には不向きであった。更に、操作を指示するためには、操作再現装置のキーボード操作により操作情報を選択する操作が必要であった。
【０００６】
本発明の課題は、情報端末装置における操作性を向上させることである。
【０００７】
【課題を解決するための手段】
本発明にかかる情報端末装置は、ユーザが行った操作に基づいて、操作に応じた処理を実行する情報端末装置であって、ユーザが行った操作に関する情報を順次記憶する記憶手段と、所定の指示キーと、前記所定の指示キーが操作される毎に、前記記憶手段に記憶されている操作に関する情報を１ずつ読み出して、当該操作に応じた処理を実行する制御手段とを備えたことを特徴とする。
【０００８】
この発明によれば、ユーザの操作に関する情報が記憶手段に記憶され、所定の指示キーが操作される毎に記憶手段に記憶されている操作情報を１ずつ読み出して該操作情報に応じた処理を実行する。従って、指示キーを繰り返し押下するだけで、記憶されている一連の操作を実行することができる。
【０００９】
【発明の実施の形態】
以下、図を参照して本発明の実施の形態を詳細に説明する。
まず、構成を説明する。
図１は、本発明が適用されたＰＤＡ（情報端末装置：Personal Digital Assistance）１の外観図を示す。図１に示すように、ＰＤＡ１には、表示画面と一体的に構成されたタブレット１３ａ、及び、usualキー１４ａ、電源キー１４ｂ、カーソルキー１４ｃ、確定キー１４ｄ等のキー入力装置１４が配設されている。usualキー１４ａとは、ＰＤＡ１を記憶された操作を実行するモード（後述するusualモード）に設定し、更に記憶された操作の実行を指示するための専用指示キーである。
【００１０】
図２に、ＰＤＡ１の機能的構成を示す。図２に示すように、ＰＤＡ１は、ＣＰＵ（Central Processing Unit）１１、表示装置１２、タブレット入力装置１３、キー入力装置１４、ＲＡＭ（Random Access Memory）１５、記憶装置１６及び通信制御装置１７等を備えて構成され、各部はバス１８により接続されている。
【００１１】
ＣＰＵ１１は、ユーザによるタブレット入力装置１３やキー入力装置１４の操作により、記憶装置１６に格納されているシステムプログラムや各種制御プログラムを読み出し、必要に応じてＲＡＭ１５内のプログラム格納領域に展開するなどして実行し、該制御プログラムに従ってＰＤＡ１の各部の動作を集中制御する。また、ＣＰＵ１１は、記憶装置１６に記憶された各種処理プログラムを読み出し、必要に応じてＲＡＭ１５に展開するなどして実行し、展開した処理プログラムに従って、後述するキー実行処理Ａを始めとする各種処理を実行して、その処理結果をＲＡＭ１５に格納するとともに表示装置１２に表示させたりする。
【００１２】
表示装置１２は、ＬＣＤ（Liquid Crystal Display）等により構成され、ＣＰＵ１１から入力される表示信号の指示に従って、表示画面上に、各種処理プログラムの実行を行わせるための操作画面や各種情報の表示を行う。
【００１３】
タブレット入力装置１３は、表示装置１２に一体的に設けらたタブレット１３ａであり、専用のペン等によって入力された位置を検出し、位置に応じた座標データをＣＰＵ１１に出力する。タブレット１３aの位置検出方式は、電磁誘導方式、磁気歪式、感圧式等の何れの座標読み取り原理を用いても良い。
【００１４】
ＰＤＡ１では、表示装置１２に表示された各種メニューやアイコン等を含む操作画面をユーザがタッチすることで、選択されたメニュー項目やアイコンに対応する処理が実行される。以下このように操作画面に表示されるメニュー項目やアイコン等の表示体も操作キーと呼び、タッチによるメニュー選択指示等もキー操作と称して説明する。またキー操作には、キー入力装置１４における、usualキー１４ａ、電源キー１４ｂ、カーソルキー１４ｃ、確定キー１４ｄのキー操作も含まれる。
【００１５】
ＲＡＭ１５は、ＣＰＵ１１により実行制御される各種処理において、記憶装置１６から読み出されたＰＤＡ１で実行可能なシステムプログラム、各種処理プログラム、入力若しくは出力データ、及びパラメータ等の一時的な格納領域となる。
【００１６】
記憶装置１６は、フラッシュメモリ（flash Memory）等の不揮発性の半導体メモリにより構成され、ＰＤＡ１に対応するシステムプログラム、当該システムプログラムに対応する各種処理プログラム、及びこれらのプログラムで使用するデータ等を記憶する。また、記憶装置１６は、プログラムやデータが予め記憶された記録媒体（図示省略）を有しており、この記録媒体は、記憶装置１６に固定的に、或いは着脱自在に装着するものである。各プログラムは、読取可能なプログラムコードの形態で格納され、ＣＰＵ１１は、当該プログラムコードに従った動作を逐次実行する。
【００１７】
ＰＤＡ１に備えられた記憶装置１６は、操作キーメモリ１６１を有している。図３に、操作キーメモリ１６１のデータ格納例を示す。図３に示すように、操作キーメモリ１６１は、モードフラグ領域と、ポインタ領域と、操作キーメモリ領域Ｐ０〜Ｐｎと、により構成されている。
【００１８】
モードフラグ領域は、usualキー１４ａの押下によりusualモードが設定された際にフラグＦ１を格納する領域である。usualモードは、usualキー１４ａが押下される毎に、操作キーメモリ領域Ｐ０〜Ｐｎに格納されているキー操作情報（以下、キーデータと称する）に応じた処理を１つずつ順次実行する動作モードである。
【００１９】
ポインタ領域は、usualキー１４ａが押下された際に、操作キーメモリ領域Ｐ０〜Ｐｎのどの領域のキーデータを参照して処理を実行するかを示すポインタＮを格納する。
【００２０】
操作キーメモリ領域Ｐ０〜Ｐｎは、usualキー１４ａ以外の操作キーが押下された際に、そのキー操作を示すキーデータを順番に記憶する。
【００２１】
通信装置１７は、無線モデム等により構成され、通信回線に接続される通信事業者（図示略）との無線通信を行うための通信制御を行う。
【００２２】
次に、動作について説明する。
図４に、ＰＤＡ１のＣＰＵ１１により実行されるキー実行処理Ａの一例を示す。
【００２３】
電源キー１４ｂが操作され電源がＯＮ状態になると、まず、ＣＰＵ１１は、usualモード設定を解除する（ステップＳ１）。次いで、タブレット入力装置１３やキー入力装置１４からの入力を待機し、入力があると（ステップＳ２；ＹＥＳ）、入力されたキーがusualキー１４ａであるか否かを判断する（ステップＳ３）。入力されたキーがusualキー１４ａである場合（ステップＳ３；ＹＥＳ）、ＣＰＵ１１は、操作キーメモリ１６１のモードフラグ領域を参照し、usualモードであるか否かを判断する（ステップＳ４）。ここで、最初に入力されたキーについては、ステップＳ１でusualモードが解除されているため、必ずusualモードではないと判断される。ＣＰＵ１１は、usualモードではないと判断すると（ステップＳ４；ＮＯ）、モードフラグ領域にフラグＦ１を格納してusualモードに設定する（ステップＳ５）。次いで、ポインタ領域のポインタＮをリセットし（ステップＳ６）、ポインタが示す操作キーメモリ領域ＰＮに記憶されているキーデータに応じた処理を実行し（ステップＳ１０）、ステップＳ２に戻る。
【００２４】
ステップＳ４において、usualモードであると判断すると（ステップＳ４；ＹＥＳ）、ＣＰＵ１１は、ポインタＮをインクリメントし（ステップＳ７）、操作キーメモリ領域ＰＮにキーデータがあるか否かを判断し、操作キーメモリ領域ＰＮにキーデータが記憶されている場合（ステップＳ８；ＹＥＳ）そのキーデータに応じた処理を実行し（ステップＳ１０）、ステップＳ２に戻る。キーデータが記憶されていない場合には（ステップＳ８；ＮＯ）、usualモードを解除してusualキー１４ａの押下により実行する処理がない旨をエラー表示し（ステップＳ１１）、ステップＳ２に戻る。
【００２５】
一方、ステップＳ３において、入力されたキーがusualキー１４ａではないと判断すると（ステップＳ３；ＮＯ）、ＣＰＵ１１は、usualモードであるか否かを判断する（ステップＳ１１）。usualモードではないと判断すると（ステップＳ１１；ＮＯ）、ＣＰＵ１１は、今回入力されたキーが電源がＯＮになってから最初に入力されたキーであるか否かを判断し、最初のキーである場合には（ステップＳ１２；ＹＥＳ）、ポインタＮをリセットし（ステップＳ１３）、当該キー操作を示すキーデータを操作キーメモリ領域Ｐ０に記憶して（ステップＳ１６）、当該キーに応じた処理を実行し（ステップＳ１７）、ステップＳ２に戻る。今回入力されたキーが最初に入力されたキーではない場合（ステップＳ１２；ＮＯ）、ＣＰＵ１１は、ポインタＮをインクリメントする（ステップＳ１５）。そして、キー操作情報を示すキーデータを操作キーメモリ領域ＰＮに記憶して（ステップＳ１６）、当該キーに応じた処理を実行し（ステップＳ１７）、ステップＳ２に戻る。
【００２６】
一方、ステップＳ２でusualキー１４ａでないキーが入力され、ステップＳ１１において、usualモードであると判断すると（ステップＳ１１；ＹＥＳ）、ＣＰＵ１１は、usualモードを解除し（ステップＳ１４）、ポインタＮをインクリメントし（ステップＳ１５）、操作されたキーのキーデータを操作キーメモリ領域ＰＮに記憶して（ステップＳ１６）、当該キーに応じた処理を実行し（ステップＳ１７）、ステップＳ２に戻る。
【００２７】
以上説明したように、ＣＰＵ１１は、usualキー１４ａが押下されると、usualモードに設定する。usualモードにおいてusualキー１４ａが押下されると、操作キーメモリ１６１に記憶されているキーデータに応じた処理をusualキー１４ａが操作される毎に１つずつ実行する。usualモードにおいてusualキー１４ａ以外のキーが押下されると、usualモードを解除して、次の操作キーメモリ領域にキーデータを記憶して、キーに応じた処理を実行する。usualモードに設定前にusualキー１４ａ以外のキーが押下されると、操作キーデータ領域Ｐ０から順に押下された操作キーのキーデータを記憶して、キーに応じた処理を実行する。
【００２８】
従って、例えば、従来の技術の欄で記載した電子メールの送受信を行なった場合の操作は、図３に示すように操作キーメモリ領域Ｐ０〜Ｐ３に操作情報が記憶され、usualキー１４ａを繰り返し押下するだけで記憶されている一連の電子メール送受信の操作を実行することができるようになる。とりわけ、電源ＯＮ後にusualキー１４ａを繰り返し押下することで、ユーザが前回の電源ＯＮ時に行った操作を実行することができ、操作性が向上する。
【００２９】
［変形例１］
なお、上記実施の形態においては、電源ＯＮ後にユーザが行ったキー操作は、先に記憶してある操作キーデータを消去して記憶されることになるが、特定の一連の操作については、操作キーが操作されても、操作キーメモリ１６１のキーデータの書き換えを不可能とし保持しておきたいことがある。そこで一度記憶した操作キーデータの書き替えを禁止する固定モードをＰＤＡ１に導入する。この場合は、前記の実施の形態で示したＰＤＡ１の操作キーメモリ１６１に固定モードフラグＦ２を記憶するための固定モードフラグ記憶領域が追加される必要がある。固定モードは、ユーザがusualキー１４ａを長く押下することで設定・解除の切り換えが行なわれることとする。
【００３０】
図５は、固定モードが導入されたＰＤＡ１のＣＰＵ１１により実行されるキー実行処理Ｂを示したものである。
【００３１】
電源キー１４ｂが操作され電源がＯＮ状態になると、ＣＰＵ１１は、まず、usualモード設定を解除する（ステップＳ２１）。次いで、タブレット入力装置１３やキー入力装置１４からの入力を待機し、入力があると（ステップＳ２２；ＹＥＳ）、入力されたキーがusualキー１４ａであるか否かを判断する（ステップＳ２３）。入力されたキーがusualキー１４ａである場合（ステップＳ２３；ＹＥＳ）、ＣＰＵ１１は、usualキー１４ａが長押しされたか、即ち所定時間以上押下されたか否かを判断し（ステップＳ２４）、長押しされてないと判断すると（ステップＳ２４；ＮＯ）、ステップＳ２５〜３１の処理を実行し、ステップＳ２２に戻る。なお、ステップＳ２５〜３１の処理は図４のステップＳ４〜１０の処理と同様であるので説明を省略する。
【００３２】
ステップＳ２４において、usualキー１４ａが長押しされた、即ち所定時間以上押下されたと判断すると、ＣＰＵ１１は、操作キーメモリ１６１を参照して固定モードに設定されているか否かを判断し（ステップＳ３２）、固定モードに設定されている場合は（ステップＳ３２；ＹＥＳ）、固定モードを解除する（ステップＳ３４）。固定モードに設定されていない場合は（ステップＳ３２；ＮＯ）、固定モードを設定する（ステップＳ３３）。即ち、usualキー１４ａが長押しされる毎に固定モードの設定のＯＮ／ＯＦＦが切り替えられる。そして、処理はステップＳ２２に戻る。
【００３３】
一方、usualキー１４ａでない操作キーが入力された場合（ステップＳ２３；ＮＯ）、ＣＰＵ１１は、操作キーメモリ１６１のモードフラグ領域を参照し、固定モードが設定されているか否かを判断し（ステップＳ３５）、固定モードが設定されていると判断すると（ステップＳ３５；ＹＥＳ）、処理はステップＳ４２へ移行して操作されたキーを実行する。即ち、ステップＳ３６〜４１の操作キーを記憶するステップを実行しない。
【００３４】
ステップＳ３５において、固定モードが設定されていないと判断すると、ＣＰＵ１１は、ステップＳ３６〜４２の処理を実行する。なお、ステップＳ３５〜４２の処理は図４のステップＳ１１〜１７の処理と同様であるので説明を省略する。
【００３５】
以上説明したように、実施の形態の変形例１では、操作を新たに書き直して記憶するモードと記憶しないモードに切り替え可能であるので、必要な操作のみを記憶させてusualキー１４ａで実行することが可能となり、ＰＤＡ１の利便性が向上する。
【００３６】
〔変形例２〕
前記実施の形態では、usualキー１４aの操作があると直ちに記憶された操作が実行されていた。しかし、ユーザは次にどのような処理が実行されるか確認したいことがある。そこで処理の実行前にユーザに何の処理を行うかを確認させる動作をＰＤＡ１に行わせるようにしても良い。
【００３７】
以下その動作について図６を参照して説明する。
図６は、ＣＰＵ１１により実行されるusual modeでの操作キー読み出し実行の処理Ｃを示す。
【００３８】
電源キー１４ｂが操作され電源がＯＮ状態になると、ＣＰＵ１１は、自動的にusualモードに設定し（ステップＳ５１）、ポインタＮをリセットする（ステップＳ５２）。次いで、操作キーメモリ１６１の操作キーメモリ領域にキーデータが格納されているかを判断し（ステップＳ５３）、キーデータが格納されていると判断すると（ステップＳ５３；ＹＥＳ）、キーデータを操作キーメモリ領域ＰＮから読み出して（ステップＳ５４）、当該キーを実行するか否かを確認するための確認メッセージを表示装置１２に表示させてキー入力を待機する（ステップＳ５５）。usualキー１４ａが押下されると（ステップＳ５６；ＹＥＳ）、ＣＰＵ１１は、読み出したキーを実行する（ステップＳ５７）。次いで、ＣＰＵ１１は、操作キーメモリ領域Ｐ（Ｎ＋１）にキーデータがあるか否かを判断し（ステップＳ５８）、キーデータがあると判断すると（ステップＳ５８；ＹＥＳ）、ポインタＮをインクリメントして（ステップＳ５９）、ステップＳ５４に戻る。キーデータがないと判断すると（ステップＳ５８；ＮＯ）、ＣＰＵ１１は、図４のキー実行処理ＡのステップＳ２に移行し、キー実行処理Ａの処理を実行する。
【００３９】
ステップＳ５６においてusualキー１４ａ以外のキーが押下された場合、ＣＰＵ１１は、ポインタＮが０でない場合にＮをデクリメントし（ステップＳ６０）、usualモードを解除して（ステップＳ６１）、図４のキー実行処理ＡのステップＳ１２に移行し、キー実行処理Ａの処理を実行する。また、ステップＳ５３において、操作キーメモリ領域にキーデータがないと判断した場合は、ＣＰＵ１１は、usualキー１４ａでない通常キーの入力を指示するための表示を表示装置１２に表示させ（ステップＳ６２）、図４のキー実行処理ＡのステップＳ２に移行し、キー実行処理Ａの処理を実行する。
【００４０】
図７は、図６のステップＳ５５で表示装置１２に表示される確認メッセージ表示画面１２１の一例を示す図である。電源ＯＮ時に前回の操作が操作キーメモリ領域に記憶されている場合は、図７に示す確認メッセージ表示画面１２１が表示されるので、ユーザに次にusualキー１４ａを押下すると実行される処理を通知することができる。
【００４１】
以上説明したように、本発明の変形例２によれば、電源ＯＮ時に操作キーメモリ領域に記憶されているキー操作の内容を表示させ、usualキー１４ａが押下されると、表示された処理を実行するので、ユーザが次に実行される処理を事前に確認することができる。
【００４２】
なお、ステップＳ５８で次の操作キーメモリ領域のキーデータがない場合及びステップＳ６２の処理を実行後、図５のキー実行処理ＢのステップＳ２２に移行してキー実行処理Ｂの処理を実行し、ステップＳ６１の処理を実行後、図５のキー実行処理ＢのステップＳ３７に移行してキー実行処理Ｂを実行するようにしてもよい。
【００４３】
また、ＰＤＡ１を音声出力装置を備えた構成とし、確認メッセージを音声により出力するようにしてもよい。
【００４４】
また、確認メッセージの表示は、電源ＯＮ時でなくともusualモードに設定されているときはいつでも表示させるようにしてもよい。
【００４５】
以上、本発明の実施の形態について説明してきたが、上記実施の形態における記述内容は、本発明における好適な一例であり、これに限定されるものではない。
例えば、上述した実施の形態においては、本発明をＰＤＡに適用した例について説明したが、これに限定されるものではなく、例えば、携帯電話、ＰＨＳ（ Personal Handyphone System）、ノート型ＰＣ等についても適用可能である。
【００４６】
その他、ＰＤＡ１の細部構成及び細部動作に関しても、本発明の趣旨を逸脱することのない範囲で適宜変更可能である。
【００４７】
【発明の効果】
請求項１に記載の発明によれば、ユーザが行った操作に関する情報は順次記憶され、所定の指示キーが操作される毎に、記憶されている操作に関する情報が１ずつ読み出されて、当該操作に応じた処理が実行されるので、指示キーを繰り返し押下するだけで、記憶されている一連の操作を実行することができ、操作性が向上する。
【００４８】
請求項２に記載の発明によれば、電源ＯＮ後に行われたキー操作を記憶手段に記憶する。従って、次回に電源をＯＮにして指示キーを繰り返し押下するだけで、前回の電源ＯＮ時に行った操作を実行することができ、操作性が向上する。
【００４９】
請求項３に記載の発明によれば、所定の操作に応じて記憶手段へのキー操作の書込みを禁止することができる。従って、ユーザにとって必要な操作のみを記憶させておくことができる。
【００５０】
請求項４に記載の発明によれば、記憶手段に記憶されているキー操作を１つずつ読み出して該キーを実行するか否かをユーザに確認させるための確認メッセージを出力する。従って、ユーザは次ぎに指示キーが押下すると実行される処理を事前に確認することができる。
【図面の簡単な説明】
【図１】本発明の実施形態に係るＰＤＡ１の外観図である。
【図２】図１のＰＤＡ１の機能的構成を示すブロック図である。
【図３】図２の記憶装置１６に格納される操作キーメモリ１６１のデータ格納例を示す図である。
【図４】図２のＣＰＵ１１により実行されるキー実行処理Ａを示すフローチャートである。
【図５】図２のＣＰＵ１１により実行されるキー実行処理Ｂを示すフローチャートである。
【図６】図２のＣＰＵ１１により実行される操作キー読み出し実行の処理Ｃを示すフローチャートである。
【図７】図６のステップＳ５５で表示装置１２に表示される確認メッセージ表示画面１２１の一例を示す図である。
【図８】従来のＰＤＡ１による電子メールアプリケーション起動の操作手順を示す図である。
【符号の説明】
１    ＰＤＡ
１１    ＣＰＵ
１２    表示装置
１３    タブレット入力装置
１４    キー入力装置
１５    ＲＡＭ
１６    記憶装置
１７    通信制御装置
１８    バス
【図１】
2004199461.tif 000003
【図２】
2004199461.tif 000004
【図３】
2004199461.tif 000005
【図４】
2004199461.tif 000006
【図５】
2004199461.tif 000007
【図６】
2004199461.tif 000008
【図７】
2004199461.tif 000009
【図８】
2004199461.tif 000010